(57)【要約】【課題】表示サイズが限られた電子番組表（ＥＰＧ）のタイトル表示領域に、番組の内容把握に有効なタイトル文字をできるだけ多く表示する。【解決手段】ＥＰＧを画面表示する際に、表示される番組タイトルから、その番組の内容把握にとって相対的に重要度の低い文字または記号（タイトル先頭またはタイトル後尾のマーク）を除去し、この除去後のタイトル表示領域に、内容把握に有効なタイトル文字をできるだけ多く表示する。【選択図】    図３
2010200352.tif 000002
【特許請求の範囲】
【請求項１】
１以上の番組枠を含む電子番組表と、前記電子番組表上を移動できるカーソルとを用いる方法であって、文字および／または記号の組合せからなる所定の文字記号列を属性情報とするときに、
前記カーソルにより示される番組枠の番組タイトルを画面表示する際に、その番組タイトルの先頭および後尾の少なくとも一方に前記属性情報が付いているときは、この属性情報を表示されるべき番組タイトルから除去し、この除去後のタイトル表示領域に前記属性情報以外の番組タイトルを表示し、前記カーソルにより示されている前記番組タイトルから除去された前記属性情報を前記番組タイトルの表示領域とは別の領域に表示する表示方法。
【請求項２】
前記番組タイトルを画面表示する際に、その番組タイトルの先頭に前記属性情報が付いているときは、この属性情報を外し、この外した部分に前記番組タイトルを詰めて表示する請求項１に記載の方法。
【請求項３】
前記番組タイトルを画面表示する際に、その番組タイトルの後尾に前記属性情報が付いているときは、この属性情報を削除して表示する請求項１または請求項２に記載の方法。
【請求項４】
前記電子番組表の、前記カーソルにより示される番組枠以外の位置に、表示されるべき番組タイトルから除去された前記属性情報を画面表示する請求項１ないし請求項３のいずれか１項に記載の方法。
【請求項５】
番組予約あるいはその番組の録画が済んでいるときは、前記電子番組表の該当番組枠に、前記属性情報を除去しないで前記番組タイトルを画面表示する請求項１に記載の方法。
【請求項６】
前記電子番組表が、前記属性情報の有無および前記番組タイトル上の位置を示す情報ビットを含む請求項１ないし請求項５のいずれか１項に記載の方法。
【請求項７】
１以上の番組枠を含む電子番組表を受信する受信部と、
文字および／または記号の組合せからなる所定の文字記号列を属性情報とするときに、前記１以上の番組枠のうちの少なくとも１つの番組タイトルを画面表示する際に、カーソルにより示されるその番組タイトルの先頭および後尾の少なくとも一方に前記属性情報が付いているときは、この属性情報を表示されるべき番組タイトルから除去し、この除去後のタイトル表示領域に前記属性情報以外の番組タイトルを表示し、前記カーソルにより示されている前記番組タイトルから除去された前記属性情報を前記番組タイトルの表示領域とは別の領域に表示する処理を行う処理部と、
前記表示処理された番組枠の放送時間に放送される番組を受信する構成を備えた放送受信装置。
【請求項８】
１以上の番組枠を含む電子番組表を受信する受信部と、
文字および／または記号の組合せからなる所定の文字記号列を属性情報とするときに、前記１以上の番組枠のうちの少なくとも１つの番組タイトルを画面表示する際に、カーソルにより示されるその番組タイトルの先頭および後尾の少なくとも一方に前記属性情報が付いているときは、この属性情報を表示されるべき番組タイトルから除去し、この除去後のタイトル表示領域に前記属性情報以外の番組タイトルを表示し、前記カーソルにより示されている前記番組タイトルから除去された前記属性情報を前記番組タイトルの表示領域とは別の領域に表示する処理を行う処理部と、
前記表示処理された番組枠の放送時間に放送される番組を録画する構成を備えた記録装置。
【請求項９】
前記番組タイトルの表示領域に表示される文字記号列から、前記属性情報を全て削除できるように構成した請求項１ないし請求項８に記載の方法。
【請求項１０】
前記属性情報は少なくとも一つのマークに対応する属性情報を含み、
前記処理部は、前記少なくとも一つのマークに対応する属性情報を前記カーソルに対応する前記番組タイトルから除去することを特徴とする請求項８に記載の記録装置。
【発明の詳細な説明】
【技術分野】
【０００１】
この発明は、ＥＰＧ（Electric Program Guide）に代表される番組情報の表示方法、この番組情報を利用した放送受信装置、およびこの番組情報を利用して番組を予約録画できる記録装置（ハードディスクおよび／または記録可能光ディスクを利用したデジタルビデオレコーダなど）に関する。
【０００２】
とくに、録画予約が頻繁に行われるデジタルビデオレコーダにおいて、番組タイトルの表示サイズが限られた電子番組表（ＥＰＧ）を外部モニタ（ＴＶ）に表示する際に、表示される番組タイトルから、その番組の内容把握にとって相対的に重要度の低い文字または記号（タイトル先頭またはタイトル後尾の属性文字等）を除去し、この除去後のタイトル表示領域に、内容把握に有効なタイトル文字をできるだけ多く表示する方法および装置に関する。
【背景技術】
【０００３】
近年、デジタル放送の開始に伴い、放送番組の電子情報（ＥＰＧ）が放送局から送られるようになっている。さらには、インターネットのＥＰＧサイトから最新の電子番組表（ＥＰＧ）を容易に入手できる環境ができている。この電子番組表を用いれば、ユーザは放送番組の録画予約（あるいは視聴予約）を簡単に行なうことができる。
【０００４】
電子番組表を用いる録画予約方法の従来技術としては、例えば下記特許文献１に記載されたものがある：
【先行技術文献】
【特許文献】
【０００５】
【特許文献１】特開平１０−２１６０１号公報
【発明の概要】
【発明が解決しようとする課題】
【０００６】
従来は、電波やインターネットを通じて電子番組表を取得し画面表示する際に、番組のタイトル＋サブタイトル＋番組説明を、タイトル先頭から表示領域が許す限り表示してる。この場合、多くのチャンネルや時間帯を１画面に表示しようとすると、タイトルを表示する領域が小さくなり、タイトルの先頭の数文字しか表示できなくなる。ところが、タイトルの先頭は[新]（＝新番組）、[映]（＝映画）等のマーク（属性情報の一部）自体から始まっている場合がある。この場合、番組表には[新]…、といったマークしか表示できなくなってしまうことがあるが、これでは、ユーザには何の番組かわからなくなってしまう。
【０００７】
タイトルの後にマークがある場合も同様であり、タイトル表示領域の一部をマーク表示に使ってしまうと、サブタイトルが表示されにくくなってしまう。
【０００８】
すなわち、電子番組表（ＥＰＧ）の１画面に多くの番組を表示させようとすると、タイトル表示領域が狭くなることから表示できる文字数が少なくなり、１画面に表示される個々の番組情報の視認性が著しく低下してしまう。
【０００９】
この発明は、上記事情に鑑みなされたもので、その目的は、表示サイズが限られた電子番組表のタイトル表示領域に、番組の内容把握に有効なタイトル文字をできるだけ多く表示できる方法および装置を提供することである。
【課題を解決するための手段】
【００１０】
この発明の一実施の形態では、番組タイトルの表示サイズが限られた電子番組表（ＥＰＧ）を画面表示する際に、表示される番組タイトルから、その番組の内容把握にとって相対的に重要度の低い文字または記号（タイトル先頭またはタイトル後尾の属性文字等）を除去し、この除去後のタイトル表示領域に、内容把握に有効なタイトル文字をできるだけ多く表示するようにしている。
【発明の効果】
【００１１】
この発明によれば、個々の番組の視認性を犠牲にすることなく、より多くの番組を１画面に表示させることが可能となる。
【図面の簡単な説明】
【００１２】
【図１】この発明の一実施の形態に係る番組情報表示方法が利用されるネットワークシステム全体の概略構成を説明する図である。
【図２】図１に例示されるＤＶＤレコーダ（映像録画装置）の概略内部構成例を説明するブロック図である。
【図３】この発明の一実施の形態に係る番組情報表示方法が利用される装置とこの装置によるＥＰＧ画面表示の一例を説明する図である。
【図４】図３の装置に利用可能なリモートコントローラの一例を説明する図である。
【図５】電子番組表（ＥＰＧ）の番組情報の具体例を説明する図である。
【図６】図５の番組情報に含まれるマーク情報の具体例を説明する図である。
【図７】電子番組表の番組タイトル表示領域に対する処理の一例を説明するフローチャート図である。
【図８】図７の処理の続きを説明するフローチャート図である。
【図９】電子番組表の番組タイトル表示領域に対する処理の他例を説明するフローチャート図である。
【図１０】この発明の他の実施の形態に係るＥＰＧ画面の表示例（属性マーク“[新]”の表示が外されている）を説明する図である。
【図１１】予約あるいは録画処理が済んだ後のＥＰＧ画面の表示例（属性マーク“[新]”の表示が戻されている）を説明する図である。
【発明を実施するための形態】
【００１３】
以下、図面を参照して、この発明の種々な実施の形態に係る番組情報表示方法、放送受信装置、および記録装置を説明する。
【００１４】
図１は、この発明の一実施の形態に係る番組情報表示方法が利用されるネットワークシステム全体の概略構成を説明する図である。ここでは、ＬＡＮ対応のＤＶＤレコーダ１００がイーサネット（登録商標）のストレートケーブル９０を介してブロードバンドルータ等８０に接続されている。このルータ８０にはＡＤＳＬモデム等７０やＤ−ＥＰＧサーバ６０が接続される。サーバ６０は、ルータ８０を介して接続されたレコーダ１００をクライアントとして認証すると、クライアントから要求された電子番組表（ＥＰＧ）の情報を出力するように構成されている。
【００１５】
レコーダ１００は、例えば１日１回、ネットワークを介して、ユーザが指定した放送局の番組表情報をサーバ６０からダウンロードし、レコーダ１００内の記憶部に番組表情報を蓄積する。図１には、レコーダ１００から出される番組情報取得要求の具体例と、サーバ６０からダウンロードされる番組情報データの具体例が示されている。
【００１６】
図２は、図１に例示されるＤＶＤレコーダ（映像録画装置）１００の概略内部構成例を説明するブロック図である。レコーダ１００のユーザが指定した放送局は、ＲＡＭ１０７上で事前に作成された「放送局−局コード変換テーブル」（図示せず）を使い、局コードに変換される。この局コードと日時範囲をパラメータとして、イーサネットポート（イーサネット９０に接続されたネットワーク接続部１０１）からＤ−ＥＰＧサーバ６０に番組表が要求される。
【００１７】
イーサネットポートを通して得られた番組表は、例えば録画再生部１００のハードディスクＨＤＤ１００ａに蓄積される。リモートコントローラ受信部１０８等を介してユーザから番組表の表示要求があった場合は、表示要求番組を含む番組表データの一部がＨＤＤ１００ａからＲＡＭ１０７に複写される。ＣＰＵ１０３は、ＲＯＭ１０５内のファームウエアに従い、適宜ＯＳＤ処理部１０６を用いて、所定形式の表示データ（例えば図３のモニタ画面参照）を生成する。こうして生成された番組表の表示データは、映像出力部１１３を介して接続された外部モニタＴＶの画面上に表示される。
【００１８】
録画再生部１００は、映像受信／入力部１１１を介して内蔵デジタルチューナあるいは外部デジタルチューナに接続されている。表示された番組表から特定放送チャネルの特定番組が例えば録画予約されると、その番組の放送開始時間から放送終了時間までをタイマ部１０９からの時間情報で管理しつつ、録画再生部１００は、映像受信／入力部１１１からの放送番組をＨＤＤおよび／またはＤＶＤ−ＲＡＭディスクに予約録画できるように構成されている。
【００１９】
図３は、この発明の一実施の形態に係る番組情報表示方法が利用される装置１０とこの装置１０によるＥＰＧ画面表示２００の一例を説明する図である。この装置１０は、デジタル放送局あるいはＥＰＧサーバ（図１のサーバ６０に対応）などの電子番組供給元から電子番組表（ＥＰＧ）の情報を受信する受信部１０２と；この受信部１０２で受信したＥＰＧ情報を処理し、処理結果を記憶し、記憶した処理結果に応じて、適宜録画予約や視聴予約を制御する処理部／制御部１０４と；処理部／制御部１０４からの電子番組情報（ＥＰＧ画像）を映像機器本体部分１００（図１のレコーダ１００に対応）からの映像出力にオンスクリーン合成するＯＳＤ処理部１０６と；リモートコントローラＲＣからのユーザ操作を本体部分１００および／または処理部／制御部１０４に伝えるリモートコントローラ受信部１０８とを含んで構成されている。
【００２０】
ＥＰＧ画像（電子番組表）２１０を含むＯＳＤ処理部１０６からの画像出力は、表示画面２００に表示される。この表示画面２００には、リモートコントローラＲＣのカーソルキー操作によりＥＰＧ画像２１０上を移動するカーソルＣがあり、このカーソルＣによりＥＰＧ画像２１０上の各番組枠を選択できるようになっている。この表示例では、放送局３ｃｈ（局名“ＸＹＺテレビ”）で２００３年１０月２１日の１０：００から１１：００まで放送される番組枠（番組タイトルは本来“［新］サラミストリート”）が、カーソルＣで選択されている。
【００２１】
図３の表示例では、番組タイトル“［新］サラミストリート”のうち、それが新番組であることを示すマーク“［新］”（属性情報）の場所が、□２２１ａで示されている。この□２２１ａは、そこに本来は“［新］”があるべきはずなのだが、狭い番組枠内をタイトル表示に有効活用するため、□の場所は番組タイトル“サラミストリート”の文字表示のために使われることを示している。すなわち、本来は“［新］”があるべき□２２１ａの場所は、“サラミストリート”という文字列のうち表示可能な文字“サラミスト…”の“サ”の字の表示に使われている。
【００２２】
こうしてカーソル下の番組枠から外されたマーク“［新］”は、このマークに対応するマーク２２３が、表示画面２００上の余白（この例では右下）に表示される。また、この番組枠の放送（“［新］サラミストリート”）が字幕入り放送であり二カ国語放送であるという別の属性情報を伴っているときは、それらを示すマーク２２４および２２５も、表示画面２００上の余白（この例では右下でマーク２２３の横）に表示される。さらに、この番組枠の放送（“［新］サラミストリート”）についてのより詳細な情報２２２は、表示画面２００上の別の余白（この例では左下）に表示される。
【００２３】
図３の実施の形態では、番組表２１０を表示する際、カーソル下の番組枠からマーク“［新］”といった属性情報（番組の内容把握にとって相対的に重要度の低い文字または記号）を除いて、タイトル２２１を優先的に表示させている。そうすることで、ユーザが注目している番組の視認性を上げ、補助的な情報（属性情報）のマークはユーザが注目している（興味を持った）番組のもののみ別領域２２３に表示している。
【００２４】
図４は、図３の装置に利用可能なリモートコントローラＲＣの一例を説明する図である。図３の番組表２１０は、ＥＰＧキーＲＣ０１をオンすることで画面２００上に出すことができる。番組表２１０上のカーソルＣは、カーソルキーＲＣ０２ＬとＲＣ０２Ｒの操作により番組枠単位で左右移動でき、またカーソルキーＲＣ０２ＵとＲＣ０２Ｄの操作により番組枠単位で上下移動できる。カーソルＣ下の番組を録画予約等のために選択する場合は、決定キーＲＣ０４をオンすればよい。番組表２１０を用いた録画予約が完了したら、ＥＰＧキーＲＣ０１を再びオンすれば、番組表２１０の表示は画面２００から消える。
【００２５】
図５は、電子番組表（ＥＰＧ）に含まれる番組情報の具体例を説明する図である。この番組情報は、以下のデータ項目を含んでいる。すなわち、最初に放送局（例えばＸＹＺテレビ等）、次に開始日時と終了日時、続いて番組のタイトル、サブタイトル、および番組説明、そして最後にマーク情報（属性情報の１つ）が、番組情報のデータ項目として含まれている。この番組情報が番組表として表示される際には、タイトル＋サブタイトル＋番組説明が、“[新]”等のマークを除き、ＥＰＧの番組枠内の表示領域に収まる範囲で、先頭から表示される。
【００２６】
図６は、図５の番組情報に含まれるマーク情報の具体例を説明する図である。ここでは、マーク情報はｂ７〜ｂ０の８ビットで構成され、各ビットが種々なマークの有無を示すフラグビットとなっている。
【００２７】
具体的には、ビットｂ７が１のときは、再放送を意味する“[再]”というマーク（４バイト使う）がタイトルの後尾位置に存在することが示される。この場合、この番組タイトルをＥＰＧの番組枠に表示するときは、タイトル後尾から４バイト分削除すれば、“[再]”というマークを番組枠の表示から外すことができる。ビットｂ７が０のときは、“[再]”というマークはないことが示される。
【００２８】
ビットｂ６が１のときは、新番組を意味する“[新]”というマーク（４バイト使う）がタイトルの先頭位置に存在することが示される。この場合、この番組タイトルをＥＰＧの番組枠に表示するときは、タイトル先頭から４バイト分削除すれば、“[新]”というマークを番組枠の表示から外すことができる。“[新]”というマークを先頭から削除したときは、その後のタイトル文字（例えばチャネルβ）を左詰めにして、削除スペースも利用して“チャネルβ”というタイトル文字を番組枠に表示する。ビットｂ６が０のときは、“[新]”というマークはないことが示される。
【００２９】
以下同様に、ビットｂ５が１のときは、続き番組の前編を意味する“[前]”というマーク（４バイト使う）がタイトルの後尾位置に存在することが示される。この場合、この番組タイトルをＥＰＧの番組枠に表示するときは、タイトル後尾から４バイト分削除すれば、“[前]”というマークを番組枠の表示から外すことができる。ビットｂ５が０のときは、“[前]”というマークはないことが示される。また、ビットｂ４が１のときは、続き番組の後編を意味する“[後]”というマーク（４バイト使う）がタイトルの後尾位置に存在することが示される。この場合、この番組タイトルをＥＰＧの番組枠に表示するときは、タイトル後尾から４バイト分削除すれば、“[後]”というマークを番組枠の表示から外すことができる。ビットｂ４が０のときは、“[後]”というマークはないことが示される。
【００３０】
一方、ビットｂ３が１のときは、連続番組の最終回を意味する“[最終回]”というマーク（８バイト使う）がタイトルの後尾位置に存在することが示される。この場合、この番組タイトルをＥＰＧの番組枠に表示するときは、タイトル後尾から８バイト分削除すれば、“[最終回]”というマークを番組枠の表示から外すことができる。ビットｂ３が０のときは、“[最終回]”というマークはないことが示される。
【００３１】
ビットｂ２が１のときは、始めての放映を意味する“[初]”というマーク（４バイト使う）がタイトルの先頭位置に存在することが示される。この場合、この番組タイトルをＥＰＧの番組枠に表示するときは、タイトル先頭から４バイト分削除すれば、“[初]”というマークを番組枠の表示から外すことができる。“[初]”というマークを先頭から削除したときは、その後のタイトル文字を左詰めにして、削除スペースも利用してタイトル文字を番組枠に表示する。ビットｂ２が０のときは、“[初]”というマークはないことが示される。
【００３２】
ビットｂ１が１のときは、映画を意味する“[映]”というマーク（４バイト使う）がタイトルの先頭位置に存在することが示される。この場合、この番組タイトルをＥＰＧの番組枠に表示するときは、タイトル先頭から４バイト分削除すれば、“[映]”というマークを番組枠の表示から外すことができる。“[映]”というマークを先頭から削除したときは、その後のタイトル文字を左詰めにして、削除スペースも利用してタイトル文字を番組枠に表示する。ビットｂ１が０のときは、“[映]”というマークはないことが示される。なお、この実施の形態では、ビットｂ０は未使用としている。
【００３３】
図７および図８は、電子番組表の番組タイトル表示領域に対する処理の一例を説明するフローチャート図である。この処理のプログラムは、ファームウエアとして、例えば図２のＲＯＭ１０５あるいは図３の処理部１０４の内部メモリ（図示せず）に書き込まれている。この処理は、図４のリモートコントローラＲＣのＥＰＧキーＲＣ０１をオンすることから始めることができる。
【００３４】
すなわち、ＥＰＧキーＲＣ０１がオンされると、図３の電子番組表（ここでは表示スペースの関係で番組表示の抜粋）２１０およびカーソルＣが表示画面２００に表示される。カーソルＣがユーザ所望の番組枠にある場合、そこで図４のリモートコントローラＲＣの決定キーＲＣ０４がオンされると、カーソルＣ下の番組枠に該当する番組情報（図５参照）から、番組タイトルがタイトルバッファ（図２のＲＡＭ１０７の一部、あるいは、図示しないが、図３の処理部１０４の内部メモリの一部）に取り込まれる（図７のステップＳＴ４０）。
【００３５】
取り込まれた番組情報は、図５および図６に示すような内容のマーク情報を含んでいる。図５の例ではマーク情報（01000000B）のビット位置ｂ７は“０”であるから（ステップＳＴ４２ノー）、ステップＳＴ４４はスキップされて次の処理に移る。この例では、マーク情報（01000000B）のビット位置ｂ６は“１”であるから（ステップＳＴ４６イエス）、タイトルバッファ（例えば“[新]チャネルβ”あるいは“[新]サラミストリート”）の先頭４バイト（“[新]”のマーク部分）が削除され、削除後に残ったタイトル文字列（“チャネルβ”あるいは“サラミストリート”）が左詰めされる（ステップＳＴ４８）。
【００３６】
以下同様に、マーク情報（01000000B）のビット位置ｂ５〜ｂ１がチェックされる。図５の例ではマーク情報（01000000B）のビット位置ｂ５〜ｂ１はいずれも“０”なので（ステップＳＴ５０、ＳＴ５４、ＳＴ５８、ＳＴ６２、ＳＴ６６の各ステップでノー）、ステップＳＴ５２、ＳＴ５６、ＳＴ６０、ＳＴ６４、およびＳＴ６８の処理はスキップされる。
【００３７】
その結果タイトルバッファには、マーク（属性情報）“[新]”が除去されたタイトル文字列（“チャネルβ”あるいは“サラミストリート”）が、バッファに残る。このタイトル文字列に、図５のサブタイトル（例えば“トリップルスコア”）および番組説明（例えば出演者名とキャッチコピー文）を追加したデータが、バッファに収まる限り格納される（図８のステップＳＴ７０）。
【００３８】
番組表２１０内の番組枠における表示可能文字数が２バイト文字で最大８文字である場合を例にとると、タイトルバッファに９以上の２バイト文字が入っている場合は（ステップＳＴ７２イエス）、タイトルバッファの先頭から１５バイト目以降を削除し、その削除後の末尾（１５〜１６バイト目）に“…”を付加する（ステップＳＴ７４）。その結果、タイトルバッファには、例えば「チャネルβ  ト…」あるいは「サラミストリート」が残る。こうして残ったタイトルバッファの内容が、番組表２１０内の番組枠に表示される（ステップＳＴ７６）。
【００３９】
なお、図３では、番組枠における表示可能文字数が２バイト文字で最大５文字である場合に「サラミストリート」の番組タイトルが表示されるときのタイトル文字列「サラミスト…」を例示している。
【００４０】
ところで、図３の表示画面２００の左下に例示するように、カーソルＣで選択された番組枠に関する詳細を表示する領域２２２があるときは、この領域２２２で表示可能な文字を別の文字バッファに書き込んで、それを領域２２２に表示することができる。例えばこの領域２２２に最大Ｎ文字表示できるときは、文字バッファ内のＮ＋１字目以降を削除し、最大Ｎ文字にカットした文字列の最後に“…”を付加して、その文字列を領域２２２に表示すればよい。
【００４１】
なお、図７のステップＳＴ４２〜ＳＴ６８のいずれかでタイトルバッファからマークの削除があったときは、削除されたマーク（例えば“[新]”）をＥＰＧ画面の余白（例えば図３の表示画面２００の右下）にＯＳＤ表示することができる。
【００４２】
図９は、電子番組表の番組タイトル表示領域に対する処理の他例を説明するフローチャート図である。タイトル文字列において“[”と“]”が図６のマークだけにしか用いられていないなら、“[＃]”（＃はワイルドカード）をキーワードに文字検索を行い（ステップＳＴ８２）、“[＃]”をタイトル文字列から削除して（ステップＳＴ８４）番組枠に表示する（図８のステップＳＴ７６）ようにしてもよい。
【００４３】
図１０は、この発明の他の実施の形態に係るＥＰＧ画面の表示例（カーソルＣがある番組枠のタイトル文字からマーク“[新]”の表示が外されている）を説明する図である。図３と図１０の違いは、図３では番組表２１０の周辺にＯＳＤ表示されていた文字またはマーク２２２〜２２５の表示位置が、図１０ではカーソルＣの近傍に移されている点にある。
【００４４】
図１１は、予約あるいは録画処理が済んだ後のＥＰＧ画面の表示例（属性マーク“[新]”の表示が戻されている）を説明する図である。これから予約するかどうかユーザが考えているときは、表示されるタイトル文字数を減らしてしまう属性マークは邪魔ものであるが、一旦予約あるいは録画が終了した番組枠の文字表示では、オリジナルの番組情報とおり、“[新]”等のマークを戻して表示した方が良い場合がある。そこで、図１１の例では、番組予約あるいはその番組の録画が済んでいるときは、電子番組表２１０の該当番組枠に、属性情報（図１１の“[新]”）を外さないで番組タイトルを画面表示するようにしている。これは、カーソルＣが予約あるいは録画が済んでいる番組枠にある場合は、例えば図７〜図８の処理において、ステップＳＴ４２〜ＳＴ７０をスキップすれば実現できる。
【００４５】
＜実施の形態のまとめ＞
ネットワークからの番組タイトルや放送局、放送時間情報等の電子番組表（ＥＰＧ）配信において、そこから得られるタイトルには補足情報（属性情報の一種）であるマーク（[新]、[最終回]など）が付く場合が多い。そこで、
１．番組表を表示する際、タイトル先頭から[新][初][映]と言ったマークを外して表示する(図３、図１０など)。ただしオリジナルの予約・録画タイトルには上記マークをつけたままとする。
【００４６】
これにより、限られた大きさの番組枠のタイトル表示領域にタイトルの重要部に絞って表示することで、視認性を向上させる。
【００４７】
２．番組表表示に表示する際、タイトル後ろから[再][前][後][最終回]と言ったマークを外して表示する。ただしオリジナルの予約・録画タイトルには上記マークをつけたままとする。
【００４８】
これにより、限られた１番組のタイトル表示領域にタイトルの重要部に絞って表示することで、視認性を向上させる。
【００４９】
３．上記１または２の番組表の表示において、カーソル位置の番組のマークを番組表の別領域に表示する（図３など）。
【００５０】
これにより、ユーザが注目している（興味がある）番組のみ、詳細情報であるマークを表示させる。
【００５１】
４．上記１または２において、番組情報の中に各マークの有無情報（図６のビットｂ７〜ｂ１）を付加し、かつ、タイトルにおけるマーク情報の位置を各マーク毎に固定（タイトル前、または後）することで、各マークの“有”の場合のみタイトル前、または後の固定文字数を表示させない。
【００５２】
このようにすれば、タイトルからマーク検索動作をしないで済む（マークコードは２バイトとは限らない）。
【００５３】
上記は番組表表示における２段階表示（全体概略表示、興味がある番組の詳細表示）を可能としており、電子番組表の限られた表示領域を効率的に使うことができる。
【００５４】
番組表を表示する際、マークを除いてタイトルを優先的に表示させることで、番組の視認性を上げ、補助情報のマークはユーザが興味を持った番組のもののみ、別領域に表示できる。
【００５５】
番組の付加的情報（マーク）はユーザが興味を持った番組の可能性が高いカーソル上の番組にのみ表示し、番組表上には番組を類推し得る番組名そのものやサブタイトルのみに絞り表示することで、番組の認識率を維持しつつ、より多くの番組を同一画面上に表示することが可能となる。
【００５６】
なお、この発明は上記各実施の形態に限定されるものではなく、その実施の段階ではその要旨を逸脱しない範囲で種々な変形・変更が可能である。また、各実施の形態は可能な限り適宜組み合わせて実施されてもよく、その場合組み合わせによる効果が得られる。
【００５７】
さらに、上記実施の形態には種々な段階の発明が含まれており、この出願で開示される複数の構成要件における適宜な組み合わせにより種々の発明が抽出され得る。たとえば、実施の形態に示される全構成要件から１または複数の構成要件が削除されても、この発明の効果あるいはこの発明の実施に伴う効果のうち少なくとも１つが得られるときは、この構成要件が削除された構成が発明として抽出され得るものである。
【００５８】
具体的には、この発明の一実施の形態に係る表示方法を用いる装置は、その表示を行なうモニタ画面のハードウエアを備えていてもよいが（ＴＶの場合）、外部モニタに表示出力を送出するに止まりモニタ画面のハードウエアを備えていなくてもよい（チューナやレコーダの単体機器の場合）。
【符号の説明】
【００５９】
１０…電子番組情報表示を行なう装置；１００…映像機器本体部分（ＥＰＧを利用するＤＶＤビデオレコーダ、ＨＤＤレコーダ、デジタルテレビジョン等）；１０２…ＥＰＧ受信部；１０４、１０６…ＥＰＧ表示処理部；１０８…リモートコントローラ受信部；ＲＣ…リモートコントローラ；２００…表示画面；２１０…画面表示された電子番組表；２２１…番組タイトル文字；２２１ａ…タイトル表示領域から除去（元データの消去ではなく表示を止めるという意味）されたマーク（[新]等の属性表示文字）が元あった場所；２２２…カーソルＣがある位置の番組情報の詳細表示領域（該当番組のタイトル、サブタイトル、番組説明、その他の関連情報表示領域）；２２３…タイトル表示領域から除去されたマーク（[新]等の属性表示文字）の表示；２２４、２２５…その他の番組属性情報。
【図１】
2010200352.tif 000003
【図２】
2010200352.tif 000004
【図３】
2010200352.tif 000005
【図４】
2010200352.tif 000006
【図５】
2010200352.tif 000007
【図６】
2010200352.tif 000008
【図７】
2010200352.tif 000009
【図８】
2010200352.tif 000010
【図９】
2010200352.tif 000011
【図１０】
2010200352.tif 000012
【図１１】
2010200352.tif 000013